(57)【要約】【課題】水中撮影時に単一の操作部材の操作によりズーム動作及び撮影動作を可能として、シャッターチャンスを逃さないようにする。【解決手段】水中撮影を行うために防水ケースをカメラに装着した場合、水中モード検出装置２３０は水中モードであると判定し、ズームスイッチ検出部１１５とズーム制御部１１３をつなぐズームＯＮ／ＯＦＦスイッチ１１６を遮断状態（ＯＦＦ）するとともに、ズーム／撮影判定部２４０に対し、フォトトリガ２２０の操作のみでズーム動作及び撮影動作を行うよう指示を出す。これにより、ズームスイッチ１１４は無効となり、フォトトリガ２２０のみでズーム動作及び撮影動作を行うことができる。【選択図】図１
2008083170.tif 000002
【特許請求の範囲】
【請求項１】
被写体を拡大、縮小撮影するためのズーム機構と、
撮影を指示するための撮影指示部材と、
予め決められた撮影モード時に、前記撮影指示部材が設定時間を超えて継続操作されたとき、前記ズーム機構を動作させる制御手段とを備えたことを特徴とする撮像装置。
【請求項２】
前記制御手段は、前記撮影指示部材が設定時間を超えて継続操作されたことによるズーム機構の動作中に、前記撮影指示部材の操作が途絶えたときは、該ズーム機構の動作を停止させることを特徴とする請求項１に記載の撮像装置。
【請求項３】
前記撮影指示部材の操作が途絶えることによるズーム機構の動作停止の際に、それまでのズーム機構の動作方向を記憶する記憶手段を備えたことを特徴とする請求項２に記載の撮像装置。
【請求項４】
前記撮影指示部材の操作が前記設定時間内での操作であるとき、被写体の撮影動作を行うことを特徴とする請求項１〜３のいずれか１項に記載の撮像装置。
【請求項５】
前記予め決められた撮影モードは水中モードであることを特徴とする請求項１〜４のいずれか１項に記載の撮像装置。
【請求項６】
防水ケースを装着した状態で、前記防水ケースに接触して水中モードであることを検出する検出手段を備えたことを特徴とする請求項５に記載の撮像装置。
【請求項７】
被写体を拡大、縮小撮影するためのズーム機構と、撮影を指示するための撮影指示部材とを備えた撮像装置の制御方法であって、
予め決められた撮影モード時に、前記撮影指示部材が設定時間を超えて継続操作されたとき、前記ズーム機構を動作させる手順を有することを特徴とする撮像装置の制御方法。
【請求項８】
被写体を拡大、縮小撮影するためのズーム機構と、撮影を指示するための撮影指示部材とを備えた撮像装置を制御するコンピュータプログラムであって、
予め決められた撮影モード時に、前記撮影指示部材が設定時間を超えて継続操作されたとき、前記ズーム機構を動作させる処理をコンピュータに実行させることを特徴とするコンピュータプログラム。
【発明の詳細な説明】
【技術分野】
【０００１】
本発明は、ビデオカメラやデジタルカメラ等の撮像装置、撮像装置の制御方法、及びコンピュータプログラムに関し、特に水中撮影時のズーム動作及び撮影動作に関するものである。
【背景技術】
【０００２】
ビデオカメラやデジタルカメラで水中撮影を行う場合、防水ケースに覆われて操作可能なスイッチが限定されてしまうこと、撮影者の体勢や波の揺らぎ等、撮影を妨げる要素が数多く存在する。そのため、シャッターチャンスを逃してしまうことが多々あった。
【０００３】
かかる水中撮影時にシャッターチャンスを逃さないようにするため、特許文献１では、以下のような発明が提案されている。すなわち、防水ケースを装着したときは収納状態に関する特定の情報をカメラ側のシステム制御部で得て、その得た情報を基に使用条件（水中）に合致した各種設定を実行する。このように各種設定を自動で行うことにより、水中での煩雑な操作を行うことを回避することができ、シャッターチャンスを逃すことが少なくなる。
【０００４】
【特許文献１】特開平１０−３３３２３３号公報
【発明の開示】
【発明が解決しようとする課題】
【０００５】
しかしながら、水中撮影時には、各種設定のみならず、ズーム操作やフォトトリガ操作等の複数のキー操作も実行しにくくなる。これらの操作に際して、地上での操作とは異なり、撮影者は手袋をしていたり、横向き等の重力に逆らった体勢になっていたり、波の揺らぎを受けたりしているためである。そのため、撮影者はカメラの持ち替えや指位置の移動を行いにくく、キー操作部を目視して、その位置を確認してからカメラを持ち替えたり、指位置を移動させたりすることが多い。このとき、撮影者の視線が被写体から離れてしまうため、被写体を見失うおそれがあり、シャッターチャンスを逃してしまっていた。
【０００６】
具体的に説明すると、カメラが防水ケースに覆われた状態で、ズームスイッチとフォトトリガが操作可能であるとする。例えば水中で熱帯魚を撮影するような場合に、撮影者はモニタに映し出されている被写体を確認しながら撮影準備を行うこととなる。すなわち、モニタに映し出されている画角を確認した結果、ズームを行いたいときは、ズームスイッチをＷＩＤＥ側もしくはＴＥＬＥ側に押し込む。そして、撮影者が望む画角になったら、フォトトリガを全押しする。
【０００７】
このようにズームスイッチによりズーム操作を行うとき、フォトトリガに指を乗せていた場合は、一旦モニタに向けている視線をズームスイッチへ向け、ズームスイッチの位置を確認してから、指をズームスイッチに移動させることとなる。ところが、撮影者の視線がモニタから離れたときに、被写体がモニタの画角から外れたところに移動した場合、目視にてまた被写体を探さなければならず、シャッターチャンスを逃すこととなる。
【０００８】
逆の場合も同様で、フォトトリガにより撮影操作を行うときに、ズームスイッチに指を乗せていた場合は、一旦モニタに向けている視線をフォトトリガへ向け、フォトトリガの位置を確認してから、指をフォトトリガに移動させることとなる。ところが、撮影者の視線がモニタから離れたときに、被写体がモニタの画角から外れたところに移動した場合、目視にてまた被写体を探さなければならず、シャッターチャンスを逃すこととなる。
【０００９】
本発明は、上記のような点に鑑みてなされたものであり、水中撮影時に単一の操作部材の操作によりズーム動作及び撮影動作を可能として、シャッターチャンスを逃さないようにすることを目的とする。
【課題を解決するための手段】
【００１０】
本発明の撮像装置は、被写体を拡大、縮小撮影するためのズーム機構と、撮影を指示するための撮影指示部材と、予め決められた撮影モード時に、前記撮影指示部材が設定時間を超えて継続操作されたとき、前記ズーム機構を動作させる制御手段とを備えた点に特徴を有する。
本発明の撮像装置の制御方法は、被写体を拡大、縮小撮影するためのズーム機構と、撮影を指示するための撮影指示部材とを備えた撮像装置の制御方法であって、予め決められた撮影モード時に、前記撮影指示部材が設定時間を超えて継続操作されたとき、前記ズーム機構を動作させる手順を有する点に特徴を有する。
本発明のコンピュータプログラムは、被写体を拡大、縮小撮影するためのズーム機構と、撮影を指示するための撮影指示部材とを備えた撮像装置を制御するコンピュータプログラムであって、予め決められた撮影モード時に、前記撮影指示部材が設定時間を超えて継続操作されたとき、前記ズーム機構を動作させる処理をコンピュータに実行させる点に特徴を有する。
【発明の効果】
【００１１】
本発明によれば、撮影指示部材の操作によりズーム動作及び撮影動作が可能であるので、撮像装置を持ち替えたり、指位置を移動させたりする必要がなくなる。これにより、撮影者の視線が被写体から離れないですむので、被写体を見失うことがなく、シャッターチャンスを逃さないようにすることができる。
【発明を実施するための最良の形態】
【００１２】
以下、添付図面を参照して、本発明の好適な実施形態について説明する。図１は、本発明の実施形態に係るデジタルカメラの構成を示すブロック図である。１００は被写体結像用レンズである。
【００１３】
１１０は被写体を拡大、縮小撮影するためのズームレンズである。１１１はズームレンズ１１０を駆動するズームレンズ駆動モータ（以下、「ズームレンズモータ」と称す）である。１１２はズームレンズモータ１１１を駆動するズームレンズ機構駆動装置（以下、「ズームレンズドライバ」と称す）である。
【００１４】
１２０は入射光量を制御する絞り機構である。１２１は絞り機構１２０を駆動する絞り駆動モータ（以下、「ＩＧメータ」と称す）である。１２２はＩＧメータ１２１を駆動する絞り機構駆動装置（以下、「ＩＧメータドライバ」と称す）である。
【００１５】
１３０は入射した光を光電変換するＣＣＤである。１３１はＣＣＤ駆動装置であり、ＣＣＤ１３０を制御し、光電変換された信号を読み出すとともに、信号の蓄積時間を制御するいわゆる電子シャッタ機能を制御する。
【００１６】
１４０はＣＤＳ（Correlated Double Sampling）回路であり、ＣＣＤ１３０で光電変換された信号をサンプリングする。１５０はＡＧＣ（Automatic Gain Control）回路であり、ＣＤＳ回路１４０でサンプリングされた信号を電気的に増幅する。１６０はアナログ−ディジタル変換器（以下、「Ａ／Ｄ変換器」と称す）であり、ＡＧＣ回路１５０の出力であるアナログ信号をディジタル信号に変換する。
【００１７】
１７０はカメラ信号処理回路（以下、「ＤＳＰ」と称す）であり、ガンマ補正後、色分離、色差マトリクス等の処理を施した後に同期信号を加え、標準テレビジョン信号を生成する制御機能を有する。１８０はＤＳＰ１７０で処理された画像データを記憶するメモリである。
【００１８】
１９０はＤＳＰ１７０で信号処理された画像データを記録する記録媒体である。２００はＤＳＰ１７０で信号処理された画像を表示するモニタである。
【００１９】
１１４は撮影者がズーム操作を行うためのズームスイッチである。２２０は撮影者が撮影操作を行うためのフォトトリガである。
【００２０】
２１０はマイクロコンピュータであり、ＤＳＰ１７０やＣＣＤ駆動装置１３１やＩＧメータドライバ１２２に処理命令を出す。マイクロコンピュータ２１０において、１３３は測光部であり、ＤＳＰ１７０で算出された被写体の輝度信号を用いて現在の露出評価値を算出する。１３２は露出制御部であり、測光部１３３で算出された露出評価値に基づき、その露出評価値が目標値になるまでＩＧメータドライバ１２２やＣＣＤ駆動装置１３１やＡＧＣ回路１５０に動作命令を出す。
【００２１】
１１５はズームスイッチ検出部であり、ズームスイッチ１１４がＴＥＬＥ側へ移動する方向に押されているのか、ＷＩＤＥ側へ移動する方向に押されているかを検出する。２２１はフォトトリガ検出部であり、フォトトリガ２２０が押されているか、また、どのくらいの時間で押され続けているのかを検出する。１１３はズーム制御部であり、ズームスイッチ検出部１１５からの信号を受信し、ズームレンズドライバ１１２に移動量や移動スピード等の命令を送信する。
【００２２】
２４０はズーム／撮影判定部であり、後述するように、フォトトリガ検出部２２１の読み取り信号を受けて、ズーム動作を行うか、撮影動作を行うかを判定する。１１６はズームＯＮ／ＯＦＦスイッチであり、ズームスイッチ検出部１１５からズーム制御部１１３への信号をＯＮ／ＯＦＦさせる。
【００２３】
２３０は撮影モードが水中モードか否かを判定する水中モード検出装置である。例えば水中撮影を行うために防水ケースをカメラに装着したときに、具体的には図示しないが、防水ケースについている凸型の出っ張り部分により、水中モード検出装置２３０が機械的に押下されるようになっている。水中モード検出装置２３０が押下されると、水中モードであると判定し、カメラが水中モード状態になるよう命令を出す。
【００２４】
枠線３００の内部は防水ケース等によりユーザが操作できない部分であり、その外部はユーザが操作できる部分を示している。
【００２５】
水中撮影を行うために防水ケースをカメラに装着したとする。このとき、既述したように水中モード検出装置２３０は水中モードであると判定し、カメラが水中モード状態になるよう命令を出す。具体的には、ズームスイッチ検出部１１５とズーム制御部１１３をつなぐズームＯＮ／ＯＦＦスイッチ１１６を遮断状態（ＯＦＦ）する。同時に、ズーム／撮影判定部２４０に対し、フォトトリガ２２０の操作のみでズーム動作及び撮影動作を行うよう指示を出す。これにより、ズームスイッチ１１４は無効となり、フォトトリガ２２０のみでズーム動作及び撮影動作を行うことができる。
【００２６】
本実施形態では、水中モード検出装置２３０が水中モードであると判定する手段を機械的接触によるものと説明したが、その他の手段として、カメラの撮影モードが水中モードに選択されたとき、電気的判断により水中モードであると判定しても良い。
【００２７】
また、水中モード検出装置２３０が水中モードであると判定した後、ズームＯＮ／ＯＦＦスイッチ１１６を遮断（ＯＦＦ）すると説明したが、ＯＮのままにしておいても良い。この場合、ズーム制御部１１３において、フォトトリガ２２０とズームスイッチ１１４からのズーム操作が競合した場合に、どちらからの信号を優先するか優先順位を持たせておけば良い。
【００２８】
以上のようにして、カメラはフォトトリガ２２０の操作のみでズーム動作及び撮影動作が行える状態になった。まず、ズーム動作について説明する。撮影者はズームを行いたいときにフォトトリガ２２０を押す（図２（ａ））。これによりフォトトリガ検出部２２１による検出信号がズーム／撮影判定部２４０に入力される。この入力された検出信号が設定時間Ｔ１（秒）を超えて継続していれば、ズーム／撮影判定部２４０はズーム制御部１１３に対してズーム制御の命令を出す（図２（ｂ））。
【００２９】
ここで、ズーム動作の方向（ＴＥＬＥ側もしくはＷＩＤＥ側）は、水中モードであると判定されてから最初のズーム動作の場合、ＴＥＬＥ端でなければＴＥＬＥ側に動作させ、ＴＥＬＥ端であればＷＩＤＥ側に動作させることとする。図示例では、ＴＥＬＥ端ではなかったものとして説明する。この場合は、ＴＥＬＥ側にズーム動作がなされる。ズーム動作を行い続け、ＴＥＬＥ端に突き当たった場合は、ズーム動作を停止させる（図２（ｃ））。
【００３０】
ズーム動作を停止させた後は、フォトトリガ検出部２２１による検出信号が途切れるまでその信号は無視される。よって、フォトトリガ２２０を押し続けていてもズーム動作及び撮影動作は行われない。
【００３１】
その後、撮影者がフォトトリガ２２０から指を離し（図２（ｄ））、再びフォトトリガ２２０を押したとする（図２（ｅ））。これによりフォトトリガ検出部２２１による検出信号がズーム／撮影判定部２４０に入力される。この入力された検出信号が設定時間Ｔ１（秒）を超えて継続していれば、再びズーム動作を行う（図２（ｆ））。ズーム動作の方向は、ズーム位置がＴＥＬＥ端であるためＷＩＤＥ側となる。ＷＩＤＥ側にズームされ続け、ＷＩＤＥ端に突き当たった場合、ＴＥＬＥ端の場合と同じく自動的にズームを停止させる。
【００３２】
このときも同様に、フォトトリガ検出部２２１による検出信号が途切れるまでその信号は無視される。よって、フォトトリガ２２０を押し続けていてもズーム動作及び撮影動作は行われない。
【００３３】
更に再びズーム動作が行われるときには、現在のズーム位置がＷＩＤＥ端であるためＴＥＬＥ側となる。
【００３４】
次に、図３を参照して、ＴＥＬＥ端、ＷＩＤＥ端以外でズーム動作を停止させる場合を説明する。ズーム動作を開始させるのは上述したとおりである（図３（ａ）、（ｂ））。ズーム動作中にフォトトリガ検出部２２１による検出信号が途切れたら、即座にズーム動作を停止させる（図３（ｃ））。ズーム動作を停止させたとき、それまでのズーム動作の方向をズーム／撮影判定部２４０に記憶させておく。
【００３５】
再びフォトトリガ検出部２２１による検出信号がズーム／撮影判定部２４０に入力され（図３（ｄ））、この検出信号が設定時間Ｔ１（秒）を超えて継続していれば、再びズーム動作を行う（図３（ｅ））。このときのズーム動作の方向は、先に記憶させた方向である。このようにして、ＴＥＬＥ端に突き当たるまではＴＥＬＥ側にズーム動作をさせ、ＷＩＤＥ端に突き当たるまではＷＩＤＥ側にズーム動作をさせる（図３（ｆ））。
【００３６】
次に、図４を参照して、撮影動作について説明をする。ズーム動作については、上述したとおりに操作を行う（図２、図３、図４（ａ）〜（ｇ））。撮影者は撮影を行いたいときにフォトトリガ２２０を押す（図４（ｈ））。これによりフォトトリガ検出部２２１による検出信号がズーム／撮影判定部２４０に入力される。この入力された検出信号が設定時間Ｔ１（秒）以内に途切れれば、ズーム／撮影判定部２４０は露出制御部１３２に対して撮影の命令を出す（図４（ｉ））。
【００３７】
露出制御部１３２は、ズーム／撮影判定部２４０からの命令と測光部１３３からの現在の撮影されている被写体の明るさ情報に基づいて、絞り、電子シャッタ、ＡＧＣの値を決定する。そして、それぞれ決定した値になるように、ＩＧメータドライバ１２２、ＣＣＤ駆動装置１３１、ＡＧＣ回路１５０に駆動命令を出力し、露出制御を完了させる。露出制御が完了したら、ＣＣＤ１３０に露光された信号を読み出し、各種信号処理を行って記録媒体１９０に記録し、撮影動作を完了させる。
【００３８】
以上述べたように、撮影モードが水中モードである場合に、フォトトリガ２２０の操作によりズーム動作及び撮影動作が可能であるので、カメラを持ち替えたり、指位置を移動させたりする必要がなくなる。これにより、撮影者の視線が被写体から離れないですむので、被写体を見失うことがなく、シャッターチャンスを逃さないようにすることができる。
【００３９】
次に、図５のフローチャートを参照して、本実施形態に係るデジタルカメラの処理動作を説明する。ステップＳ１００では、水中モード検出装置２３０が水中モードであるかどうかかを判定する。
【００４０】
上記ステップＳ１００において水中モードであると判定された場合、ステップＳ２００で、ズームスイッチ１１４が押されているかどうかを判定する。ズームスイッチ１１４が押されている場合はステップＳ２１０に進み、押されていなかった場合はステップＳ３００に進む。
【００４１】
ステップＳ２１０では、ズームスイッチ検出部１１５による検出信号に従い、ズーム動作を開始又は継続させる。その後、再びステップＳ２００に戻り、ズームスイッチ１１４が押されているかどうかを判定する。
【００４２】
ステップＳ３００では、ズーム動作を終了させ、ステップＳ４００に進む。上記ステップＳ２１０においてズーム動作を開始していない場合も、ここでズーム停止動作を行って差し支えない。
【００４３】
ステップＳ４００では、フォトトリガ２２０が押されているかどうかを判定する。フォトトリガ２２０が押されていなかったら、押されるまで待機する。フォトトリガ２２０が押されている場合はステップＳ５００に進む。
【００４４】
ステップＳ５００では、フォトトリガ２２０が押されている時間を計測する。ここでは、カウンタＴを増加させて、ステップＳ６００に進む。
【００４５】
ステップＳ６００では、上記ステップＳ５００においてカウントした時間Ｔが設定時間Ｔ１を超えたかどうかかを判定する。カウンタＴが設定時間Ｔ１を超えていた場合はステップＳ７００に進み、まだ超えていない場合はステップＳ６１０に進む。
【００４６】
ステップＳ６１０では、フォトトリガ２２０の状態を判定する。その結果、フォトトリガ２２０がまだ押されている場合はステップＳ５００に戻り、カウンタＴを増加させる。フォトトリガ２２０が押されていない場合、すなわちフォトトリガ２２０の押し継続時間が設定時間Ｔ１以内であった場合はステップＳ６１１に進む。ステップＳ６１１では、撮影を開始し、一連のズーム動作を終了させる。
【００４７】
ステップＳ７００では、フォトトリガ２２０の状態を判定する。その結果、フォトトリガ２２０がまだ押されている場合、すなわちフォトトリガ２２０が設定時間Ｔ１を超えて更に押し続けされている場合はステップＳ７１０進む。フォトトリガ２２０が押されていない場合はステップＳ８００に進む。
【００４８】
ステップＳ７１０では、ズーム位置が端か否かを判定し、端であった場合はステップＳ７２０進み、端で無かった場合はステップＳ７３０に進む。
【００４９】
ステップ７２０では、フォトトリガ２２０の操作によるズーム動作が実行中であるかどうかを判定する。初期動作であれば、ズーム動作を行うためにステップＳ７３０に進む。また、初期動作ではなく、既にフォトトリガ２２０によりズーム動作が実行中であればステップＳ８００に進む。
【００５０】
ステップＳ７３０では、ズーム動作を開始又は継続させて、ステップＳ７００に戻る。ズーム動作開始又は継続の方向は、図１〜図３を参照して先に説明した通りである。
【００５１】
上記ステップＳ７１０、Ｓ７２０においてズーム位置が端でありかつズーム動作の実行中であると判定されてステップＳ８００に移ってきた場合、一連のフォトトリガ２２０でのズーム動作を終了する。
【００５２】
なお、フォトトリガ２２０が半押し、全押しの２段階スイッチとなっている場合は、例えばフォトトリガ２２０の半押し状態が設定時間Ｔ１を超えたときにズーム動作を行い、フォトトリガ２２０の半押し状態が設定時間Ｔ１以内であって、その後全押し状態となったときに撮影動作を行うようにすればよい。
【００５３】
本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００５４】
この場合、記憶媒体から読み出されたプログラムコード自体が上述した実施形態の機能を実現することになり、プログラムコード自体及びそのプログラムコードを記憶した記憶媒体は本発明を構成することになる。
【００５５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５６】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００５７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００５８】
【図１】本発明の実施形態に係るデジタルカメラの構成を示すブロック図である。
【図２】本発明の実施形態におけるフォトトリガ操作とそれによるズーム動作（ズーム端突き当たりの場合）を説明するための図である。
【図３】本発明の実施形態におけるフォトトリガ操作とそれによるズーム動作（ズーム端以外でズームストップさせる場合）を説明するための図である。
【図４】本発明の実施形態におけるフォトトリガ操作とそれによる撮影動作を説明するための図である。
【図５】本発明の実施形態に係るデジタルカメラの処理動作を示すフローチャートである。
【符号の説明】
【００５９】
１００    被写体結像用レンズ
１１０    ズームレンズ
１１１    ズームレンズモータ
１１２    ズームレンズドライバ
１１３    ズーム制御部
１１４    ズームスイッチ
１１５    ズームスイッチ検出部
１１６    ズームＯＮ／ＯＦＦスイッチ
１２０    絞り機構
１２１    ＩＧメータ
１２２    ＩＧメータドライバ
１３０    ＣＣＤ
１３１    ＣＣＤ駆動装置
１３２    露出制御部
１３３    測光部
１４０    ＣＤＳ回路
１５０    ＡＧＣ回路
１６０    Ａ／Ｄ変換器
１７０    ＤＳＰ
１８０    メモリ
１９０    記録媒体
２００    モニタ
２１０    マイクロコンピュータ
２２０    フォトトリガ
２２１    フォトトリガ検出部
２３０    水中モード検出装置
２４０    ズーム／撮影判定部
３００    防水ケースによりカメラを覆っている範囲
【図１】
2008083170.tif 000003
【図２】
2008083170.tif 000004
【図３】
2008083170.tif 000005
【図４】
2008083170.tif 000006
【図５】
2008083170.tif 000007